(57)【要約】【目的】粘着テープで封かんされた箱の開封を容易化する装置、及び輸送中などに加わる意図しない力によっては開封しにくく開封時には容易に開封できる箱を提供する。【構成】フィルムを基材とする粘着テープを用い、外フラップと端面板を固定することにより封かんされた箱であって、前記一対の外フラップの合わせ目の任意の部分に対向または隣接する粘着テープに開封の契機となる一つ又は少数の切れ込みが形成されており、かつ、前記切れ込みが形成された範囲を示す表示を備えたことを特徴とする、輸送中などに加わる意図しない力によっては開封しにくく、開封時には容易に開封できる箱。【選択図】    図１
2015157649.tif 000002
【特許請求の範囲】
【請求項１】
箱を構成する一対の外フラップの縁部が互いに対向し合わせ目を形成することができ、フィルムを基材とする粘着テープを用い、前記外フラップの互いに対向する縁部とその近傍部分及び端面板を固定することにより封かんされた箱であって、
前記一対の外フラップの合わせ目の任意の部分に対向または隣接する粘着テープに開封の契機となる一つ又は少数の切れ込みが形成されており、かつ、前記箱又は粘着テープには前記切れ込みが形成された位置を示す図形、印その他の情報が表示されていることを特徴とする、容易に開封できる箱。
【請求項２】
箱を構成する一対の外フラップの縁部が互いに対向し合わせ目を形成することができ、フィルムを基材とする粘着テープを用い、前記外フラップの互いに対向する縁部とその近傍部分及び端面板を固定することにより封かんされた箱に対して、前記粘着テープに開封の契機となる切れ込みを形成する切れ込み形成手段と、
前記箱の合わせ目及び前記切れ込み形成手段の少なくとも一方を、前記箱の合わせ目の長手方向と略直交する方向に移動させる第１移動手段と、
前記切れ込み形成手段が前記箱の合わせ目の任意の部分に開封の契機となる切れ込みを形成するように、前記箱の合わせ目及び前記切れ込み形成手段の少なくとも一方を、前記箱の合わせ目の長手方向に移動させる第２移動手段と、
を備えたことを特徴とする、封緘された箱の開封を容易化する装置。
【請求項３】
箱を構成する一対の外フラップの縁部が互いに対向し合わせ目を形成することができ、フィルムを基材とする粘着テープを用い、前記外フラップの互いに対向する縁部とその近傍部分及び端面板を固定することにより封かんされる箱であって、
封かんすると前記外フラップの合わせ目部分に隙間を形成し、その隙間の幅（前記合わせ目に直交する方向の長さ）は１ｍｍ以上５ｍｍ以内で、隙間の長さ（前記合わせ目方向の長さ）は５ｍｍ以上２０ｍｍ以内となるように、少なくとも一つの外フラップの合わせ目を形成する縁を切り欠いたことを特徴とする、容易に開封できる箱。
【請求項４】
箱を構成する一対の外フラップの縁部が互いに対向し合わせ目を形成することができ、フィルムを基材とする粘着テープを用い、前記外フラップの互いに対向する縁部とその近傍部分及び端面板を固定することにより封かんされた箱であって、
前記粘着テープの各外フラップに接着している部分であって、端面板に近い部分に切れ込みが形成されたことを特徴とする、容易に開封できる箱。
【請求項５】
箱を構成する一対の外フラップの縁部が互いに対向し合わせ目を形成することができ、フィルムを基材とする粘着テープを用い、前記外フラップの互いに対向する縁部とその近傍部分及び端面板を固定することにより封かんされる箱であって、
封かん時に前記外フラップの端面板側の縁から３０ｍｍ以内の範囲にある前記合わせ目に隙間を形成するように、少なくとも一つの外フラップの合わせ目側の縁を切り欠いたもので、
切欠きの幅（外フラップの合わせ目に直交方向の長さ）は、５ｍｍ以上、２５ｍｍ以内で、かつ、封かんに用いる粘着テープの短手方向の長さの２／３以内であることを特徴とする、容易に開封できる箱。
【請求項６】
箱を構成する一対の外フラップの縁部が互いに対向し合わせ目を形成することができ、フィルムを基材とする粘着テープを用い、前記外フラップの互いに対向する縁部とその近傍部分及び端面板を固定することにより封かんされる箱であって、
少なくとも一つの外フラップの端面板側の縁から４０ｍｍ以内の部分であって、外フラップの合わせ目側の縁から２５ｍｍ以内で、かつ、封かんに用いる粘着テープの短手方向の長さの２／３以内の範囲に、前記合わせ目に直交、または斜交するミシン目、または幅５ｍｍ以内のスリットが形成され、前記ミシン目、またはスリットを押すと外フラップの一部が箱の内部に押し込まれることを特徴とする、容易に開封できる箱。
【発明の詳細な説明】
【技術分野】
【０００１】
本発明は、粘着テープを用いて封かんされた箱の開封を容易化する装置及び容易に開封できる箱に関する。
【背景技術】
【０００２】
荷物を入れるための段ボール箱のような箱は、一対の側面板の上下の縁に繋げて設けた外フラップ（一対の端面板の上下縁に繋げて設けた内フラップの上側に位置するもの）を重ね合わせ、粘着テープを用いて封かんされる。このように封かんした箱を開封するには、一般的には粘着テープをカッターなどで切断し開封するか、粘着テープをはがして開封する。また、粘着テープで封かんされた箱を容易に開封するために、従来から大きく分けて３つの方法が提案されている。
【０００３】
第１の方法は、箱から粘着テープをはぎ取りやすくして、開封する方法で、特許文献１は、粘着テープをはぎ取りやすくするために、箱に切れ目を入れている。
第２の方法は、切れ込みやミシン目を持つ粘着テープを用いて箱を封かんすることにより開封しやすくする方法で、特許文献２のように予め粘着テープに万遍なく切れ込みや孔をあけておくもの、特許文献３のように予め粘着テープ中央にミシン目を入れておくものがある。
第３の方法は、箱を粘着テープで封かん後に、特許文献４のように合わせ目に沿ってミシン目をいれ、開封時にはミシン目を利用して開封するものである。
【先行技術文献】
【特許文献】
【０００４】
【特許文献１】特開２００４−１７５４５１号
【特許文献２】実開昭５４−１３３１６５号
【特許文献３】実開平６−５１２５６号
【特許文献４】特開平７−２５１８１２号
【発明の概要】
【発明が解決しようとする課題】
【０００５】
一般的に行われているカッターなどを用いて粘着テープを切断し開封する方法は、常にカッターが必要であることに加え、カッターを使用するときに中身を傷つけたり、怪我をしたりする恐れがあった。粘着テープをはがして開封する方法では、箱に強く接着している粘着テープをはがすことは簡単ではなく、手間と時間がかかるほか、はがす際に爪を痛める恐れがあった。また、きれいに剥げないなどの問題があった。
特許文献１の方法では、この剥がしにくい問題を解決するために、粘着テープに近い箱の端面板や蓋面中央に切れ目を入れ、この切れ目を破り粘着テープを持ちやすくして、はがしやすくする方法である。この方法では、箱に付けた切れ目の位置が決まっているので粘着テープを正確に貼りつける必要があり作業に注意が必要となるほか、粘着テープの端末はギザギザ状に切断されているため、端末からはがす場合は、剥がし始めの時点で斜めに切れ、それ以上は剥がせない可能性があるなど問題があった。また、はがす方法では、粘着テープとともに外ライナも剥がれるので、箱を再利用するときは封かん力が落ちる問題があった。
【０００６】
特許文献２の方法では、粘着テープに万遍なく切れ込みや孔もしくはミシン目があるため、封かん作業中に意図しない力が加わると粘着テープが切れてしまう問題があった。特許文献３では粘着テープのミシン目を合わせ目に位置させて貼ることが難しいほか、封かん作業中に粘着テープが縦に切れる可能性があるなど問題があった。
特許文献４では、封かん後に合わせ目に対向する粘着テープにミシン目をいれるので、封かん中に粘着テープが切れることも、粘着テープのミシン目と箱の合わせ目が一致しないこともないが、ＯＰＰなどのフィルムでできた粘着テープは切れ込みがあると裂けやすいために、外フラップ間の合わせ目部分すべてにミシン目がある特許文献４では、輸送中に上から力が加わるとミシン目の入った粘着テープが切断する可能性があった。
また、特許文献３、特許文献４では、厚い粘着テープを用いて封かんした場合は、外フラップと端面板間の粘着テープが切断しにくくなる問題もあった。
【０００７】
本発明は、このような従来技術の問題点に着目してなされたものであって、特殊な粘着テープを必要とすることなく通常のフィルムを基材とする粘着テープを使用しながら、容易に開封することができ、輸送中などに意図しない力が加わっても外フラップが開く可能性が低く、箱の封かん力を落とさずに再利用可能な封かんされた箱、粘着テープで封緘された箱の開封を容易化する装置、この装置に適した開封を容易化する箱を提供することを目的とする。
【課題を解決するための手段】
【０００８】
請求項１記載の容易に開封できる箱は、箱を構成する一対の外フラップの縁部が互いに対向し合わせ目を形成することができ、フィルムを基材とする粘着テープを用い、前記外フラップの互いに対向する縁部とその近傍部分及び端面板を固定することにより封かんされた箱であって、前記一対の外フラップの合わせ目の任意の部分に対向または隣接する粘着テープに開封の契機となる一つ又は少数の切れ込みが形成されており、かつ、前記箱又は粘着テープには前記切れ込みが形成された位置を示す図形、印その他の情報が表示されていることを特徴とする。
【０００９】
本願の容易に開封できる箱の開封方法の概略は以下の通りである。
切れ込みが形成されていることを示す表示に従い、封かんされた箱の合わせ目部分を爪先で押すことで局部的な力を加え、粘着テープに形成された切れ込みから亀裂を生じさせる。次いで爪などを押しながら合わせ目に沿って移動させることで、合わせ目方向に亀裂を伸長させ、外フラップ間の粘着テープを切断する。次に、合わせ目から指を入れ、外フラップを持ち上げると、亀裂が持ち上げた外フラップの縁に沿って伸張し、外フラップと端面板を接合していた粘着テープが切断される。最後に残った外フラップを持ち上げることで、この外フラップと端面板間の粘着テープを破断して開封することができる。
【００１０】
本願の開封方法は、合わせ目に対向する粘着テープに開封の契機となる切れ込みが一つあれば開封可能であるが、切れ込みが小さいために目印がないと強い力を加える場所がわかりにくく開封しにくくなる。
また、目印があることで、切れ込みの数や形成範囲を必要最低限にして、意図しない力が切れ込みに加わる可能性を低くするとともに、切れ込みに強い力が加わらないと亀裂を生じないように、切れ込みの大きさをより小さくすることもできる。
本請求項１では、切れ込みが形成された範囲を示す表示を備えることで、意図しない力が加わっても開封しにくく、開封時は容易に開封できるようにした箱である。
【００１１】
切れ込みが形成された範囲を示す表示とは、文字や図柄、色、箱の形など開封者が切れ込みの形成部分を認識できるものをいう。
一対の外フラップの合わせ目とは、箱の封緘時に互いに対向する各外フラップの縁部同士が対向する部分、又は各外フラップの縁部同士が互いに接触する部分をいう。
本発明の開封の契機となる切れ込みとは、切れ込みが形成された粘着テープが外フラップに粘着していないか、合わせ目に隣接し弱く粘着しているため、切れ込みやその周辺に力を加えると切れ込みが歪み亀裂を生じる切れ込みである。この亀裂が、合わせ目に沿って伸長することで開封につながる。
【００１２】
フィルムを基材とする粘着テープに形成される切れ込みは、針で刺したような小さな切れ込みであっても、爪先で力を加えると亀裂を生じる。さらに切れ込みを小さくすると、力を加えても切れ込みが歪まないため、亀裂を生じさせることができなくなる。しかし、切れ込みの間隔が狭い、短いミシン目を形成していれば、加わった力によりミシン目を破断して、亀裂を生じさせることができる。よって、本発明の開封の契機となる切れ込みは、粘着テープに力を加えるとミシン目のように破断できる間隔で形成された複数の切れ込みや孔を含む。切れ込みの形状は直線状のものだけでなく不定形のものでもよい。
【００１３】
請求項２記載の封緘された箱の開封を容易化する装置は、箱を構成する一対の外フラップの縁部が互いに対向し合わせ目を形成することができ、フィルムを基材とする粘着テープを用い、前記外フラップの互いに対向する縁部とその近傍部分及び端面板を固定することにより封かんされた箱に対して、前記粘着テープに開封の契機となる切れ込みを形成するための切れ込み形成手段と、前記箱の合わせ目及び前記切れ込み形成手段の少なくとも一方を前記箱の合わせ目の長手方向と略直交する方向に移動させる第１移動手段と、前記切れ込み形成手段が前記箱の合わせ目の任意の部分に開封の契機となる切れ込みを形成するように、前記箱の合わせ目及び前記切れ込み形成手段の少なくとも一方を前記箱の合わせ目の長手方向に移動させる第２移動手段と、を備えたことを特徴とする。
【００１４】
本請求項２は、合わせ目の任意の部分に対向、隣接する粘着テープに切れ込みを形成することができ、それ以外の合わせ目部分の粘着テープには開封の契機となる切れ込みを形成しないので、箱に意図しない力が加わっても開封する可能性を低くできる。
また、外フラップに強く接着している粘着テープに形成された切れ込みは、力を加えても変形しないために開封の契機にはならないので、封かん力の低下にはならない。
なお、開封の契機となる切れ込みを形成するための装置又は器具とは、レーザー光による切断装置や表面に針状の突起や刃を持つローラーなどである。
前記箱の合わせ目の長手方向と略直交方向に前記の装置又は器具が移動する仕組みとは、相対的な移動でも目的を達成するので、箱が移動することも含む。
【００１５】
請求項３記載の容易に開封できる箱は、箱を構成する一対の外フラップの縁部が互いに対向し合わせ目を形成することができ、フィルムを基材とする粘着テープを用い、前記外フラップの互いに対向する縁部とその近傍部分及び端面板を固定することにより封かんされる箱であって、封かんすると前記外フラップの合わせ目部分に隙間を形成し、その隙間の幅（前記合わせ目に直交する方向の長さ）は１ｍｍ以上５ｍｍ以内で、隙間の長さ（前記合わせ目方向の長さ）は５ｍｍ以上２０ｍｍ以内となるように、少なくとも一つの外フラップの合わせ目を形成する縁を切り欠いたことを特徴とする。
【００１６】
本願では、切れ込みが開封の契機となるように、切れ込みの周辺の粘着テープが外フラップに接着していないか、弱く接着しておく必要がある。
箱や封かん方法によっては、対向する外フラップの縁どうしが密接して、合わせ目が線状になっているため、請求項２の装置では、開封の契機となる切れ込みを安定的に形成することが難しい場合がある。
請求項３は切断の契機となる切れ込みを粘着テープに形成しやすくするために、外フラップの合わせ目側の縁を切り欠いて隙間を作ったものである。
隙間の幅（合わせ目に直交方向の長さ）は５ｍｍ未満と小さいので、この部分の粘着テープが内フラップなどに接着することがなく、爪などで局部的な力を切れ込みに加えれば亀裂が生じ粘着テープを切断できる。さらに、隙間の面積が小さいために、粘着テープの封かん力はほとんど低下しないし、輸送中などに切れ込みに作用する局部的な力が加わり開封してしまう可能性も低い。
外フラップの切欠きによって形成される隙間の形は、平面視で四角形、台形、楕円形や不定形を含む。
なお、外フラップの縁の切欠きには、複数の層を持つ構造の段ボール箱のように外フラップが厚みを持つ場合は、外フラップの表側から裏側に向けて層状に切り欠いた箱を含む。このことは、以下の請求項の切欠きにおいても同様である。
【００１７】
請求項４記載の容易に開封できる箱は、箱を構成する一対の外フラップの縁部が互いに対向し合わせ目を形成することができ、フィルムを基材とする粘着テープを用い、前記外フラップの互いに対向する縁部とその近傍部分及び端面板を固定することにより封かんされた箱であって、前記粘着テープの各外フラップに接着している部分であって、端面板に近い部分に切れ込みが形成されたことを特徴とする。
【００１８】
本願の開封方法では、切断の契機となる切れ込みから生じた亀裂を利用して外フラップ間の合わせ目に対向する粘着テープと、最初に持ち上げる外フラップと端面板間の粘着テープを切断する。最後に残った外フラップと端面板間の粘着テープを切断するには、新たな亀裂を生じさせるか、力で破断するしかないが、利用した粘着テープが厚くなるほど力では破断しにくくなる。
請求項４記載の外フラップの端面板に近い部分に接着している粘着テープに切れ込みが形成された箱は、最後に残った外フラップを持ち上げると端面板と外フラップ間の粘着テープが引っ張られ、外フラップのコーナー部（外フラップの端面板側の縁と合わせ目側の縁で囲まれた部分）周辺がたわむことで外フラップの端面板に近い部分に接着している粘着テープにも力が加わり、外フラップに接着していた粘着テープが剥がれるとともに、この部分の切れ込みが亀裂へ発展し、最後に持ち上げる外フラップと端面板間の粘着テープが切断される。
輸送時などは、開封時のように外フラップが大きく持ち上がることがないので、外フラップの端面板近くの粘着テープは外フラップに接着したままであり、力が加わっても、切れ込みは亀裂に進展しない。よって請求項４の箱は、輸送中は意図せぬ力で開封しにくく、容易に開封できる箱である。
【００１９】
請求項５記載の容易に開封できる箱は、箱を構成する一対の外フラップの縁部が互いに対向し合わせ目を形成することができ、フィルムを基材とする粘着テープを用い、前記外フラップの互いに対向する縁部とその近傍部分及び端面板を固定することにより封かんされる箱であって、封かん時に前記外フラップの端面板側の縁から３０ｍｍ以内の範囲にある前記合わせ目に隙間を形成するように、少なくとも一つの外フラップの合わせ目側の縁を切り欠いたもので、切欠きの幅（外フラップの合わせ目に直交方向の長さ）は、５ｍｍ以上、２５ｍｍ以内で、かつ、封かんに用いる粘着テープの短手方向の長さの２／３以内であることを特徴とする。
【００２０】
請求項５の発明は、端面板近くの合わせ目に粘着テープの幅より狭い隙間を形成するように外フラップを切り欠いた箱である。封かん後にこの隙間に対向する粘着テープに切れ込みを形成する。隙間の幅（合わせ目に直交方向の長さ）が請求項３より広いことにより、隙間に対向する粘着テープに多くの切れ込みが形成できる。
開封は、外フラップの合わせ目に対向する粘着テープの切れ込みを利用して外フラップ間の合わせ目部分の粘着テープを切断し、さらに一方の外フラップを持ち上げ、持ち上げた外フラップと端面板間の粘着テープを切断する。最後に残った外フラップを持ち上げると隙間部分の粘着テープが引っ張られ、この部分の切れ込みから新たな亀裂が生じ、最後に持ち上げる外フラップと端面板間の粘着テープが切断して容易に開封できる。
【００２１】
なお、箱の上面を手で押すと箱の中央を押すほど外フラップが押し込まれるように下がり、中央付近の合わせ目の幅が広がるが、端面板付近の合わせ目の幅は逆に狭くなるため、請求項５のように端面板近くの外フラップの隙間に対向する粘着テープに多くの切れ込みを形成しても、箱を上から押す力では開封の契機となりにくい。また、箱の端を押しても端面板があるため力が分散される。このため、請求項５記載の箱は、容易に開封できるが、意図しない力には開封しにくい箱である。
【００２２】
また、別の開封方法として、開封の初めに請求項５記載の隙間を爪先で押し、合わせ目に直交または斜交する亀裂を形成しておいてから、外フラップの合わせ目部分の粘着テープと最初に持ち上げる外フラップと端面板間の粘着テープを切断する。最後に残った外フラップを持ち上げると、先に形成していた亀裂が端面板側に伸長し開封できる。このように合わせ目の亀裂とは別に、合わせ目に直交または斜交する亀裂を生じさせておくと、さらに弱い力で開封できる。なお、この開封方法では隙間の役割は、合わせ目に直交、斜交する亀裂を形成することなので、外フラップの端面板側に隙間が開いている必要はない。
封かん後に外フラップの切欠きにより形成される隙間の形は、平面視で略三角形、略四角形などの多角形や、円形や半円形、ハート形、不定形などの多様な形を含む。
隙間の幅が粘着テープの短手方向の幅の２／３以下になるようにとは、箱の大きさや利用方法によって封かんに利用される粘着テープの最低限の幅は予測できるため、粘着テープの貼りつけの位置の変動を考慮し予想される粘着テープの幅の２／３以下であることをいう。
【００２３】
なお、隙間の幅が粘着テープの幅（粘着テープの短手方向の長さ）と同じか広い場合は、隙間の面積が大きいため切れ込みに意図しない力が加わりやすいだけでなく、粘着テープより隙間部分が広いため、上から加わる力だけで粘着テープは短手方向に完全に切断してしまう。切断すると箱の封かん力が落ちるほか、この切断部分から粘着テープが剥がれる可能性も生じる。
本願のように隙間の幅は粘着テープの幅の２／３以下としている場合は、上から加わる力で、隙間に対向する部分の粘着テープに亀裂が生じても、隙間以上の亀裂の伸長にはならないため、少なくとも粘着テープの１／３は未切断であり、隙間の幅が粘着テープより広い場合と比べると、封かん力の低下は大きくない。
【００２４】
請求項６記載の容易に開封できる箱は、箱を構成する一対の外フラップの縁部が互いに対向し合わせ目を形成することができ、フィルムを基材とする粘着テープを用い、前記外フラップの互いに対向する縁部とその近傍部分及び端面板を固定することにより封かんされる箱であって、少なくとも一つの外フラップの端面板側の縁から４０ｍｍ以内の部分であって、外フラップの合わせ目側の縁から２５ｍｍ以内で、かつ、封かんに用いる粘着テープの短手方向の長さの２／３以内の範囲に、前記合わせ目に直交、または斜交するミシン目、または幅５ｍｍ以内のスリットが形成され、前記ミシン目、またはスリットを押すと外フラップの一部が箱の内部に押し込まれることを特徴とする。
【００２５】
請求項６の箱は粘着テープで封かん後にミシン目、またはスリット形成部分及び周辺部分に対向する粘着テープに切れ込みを形成する。
この箱の開封は、スリットや合わせ目に対向する粘着テープの切れ込みを利用して外フラップ間の粘着テープを切断する。さらに、箱に形成された前記ミシン目やスリットで囲まれた部分を爪や指で押すと箱のミシン目の破断やスリットにより外フラップの一部が箱の内部に押し込まれる。この時に粘着テープにも押し込む力が加わり、切れ込みが合わせ目に直交、または斜交する亀裂に発展する。切断された合わせ目から指を入れ、外フラップを持ち上げると合わせ目の亀裂が伸長し、外フラップと端面板間の粘着テープが切断される。最後に残った外フラップを持ち上げると外フラップを押し込んだ時に生じた亀裂が伸長し持ち上げた外フラップと端面板間の粘着テープが切断され開封できる。
請求項６の箱は、ミシン目は、ほとんど面積を持たず、スリットの場合も請求項５の隙間の面積に比べ小さいので、切れ込みに意図せぬ力が加わり開封する可能性が低くなる。また、ミシン目やスリットを利用して合わせ目に直交、または斜交する亀裂を作ることで容易に開封することができる。
【００２６】
請求項６のスリットには、外フラップを貫通する切れ目や貫通しない切れ目を含む。これらは、スリット同様に力を加えると破断し、隙間を生じる。
請求項６の箱は、ミシン目やスリットが組み合わされていても良い。また、箱のミシン目を破断しやすくするために、外フラップの合わせ目に斜交、直交するミシン目やスリットとともに、合わせ目に平行なミシン目やスリットが形成されても良い。ミシン目やスリットの形は直線だけでなく円弧や不定形も含む。
なお、外フラップに形成されたミシン目やスリットには、複数の層を持つ構造の段ボール箱のように外フラップが厚みを持つ場合は、外フラップの表側から裏側に向けて溝状に形成されたミシン目やスリットを含む。
【発明の効果】
【００２７】
本願の粘着テープで封かんされた箱の開封は、外フラップの合わせ目に対向する粘着テープに形成された一つの切れ込みを利用して切断するため、従来技術に比べ輸送中などに意図しない力が箱に力が加わっても開封しにくく、道具を用いずに容易に開封できる箱を達成できる。また、粘着テープの切断による開封なので箱を再利用しやすく、はがすことによるゴミもでない。
以下の請求項１、２、３は、合わせ目に対向する粘着テープに形成される切れ込みの数を少なくするための箱と装置についての発明である。
【００２８】
請求項１にかかる容易に開封できる箱は、切れ込みの形成範囲が表示されているため、強い力で亀裂に変化する小さな切れ込みを形成しても容易に開封できる。また、開封の契機となる切れ込みの数を減らすことができ、また、切れ込みを小さくできるため、意図しない力が箱に加わっても開封しにくい箱である。
請求項２は、請求項２の切れ込みを形成する方法を利用した装置で、封緘された箱の任意の部分に対向する粘着テープのみに、切れ込みを簡単に形成できる装置である。
請求項３の容易に開封できる箱は、箱の外フラップの合わせ目側の縁の任意の部分を小さく切り欠いたことで、封かんすると外フラップの合わせ目の任意の部分に隙間が生じる。意図しない力で開封しないように切れ込みを形成する範囲を狭くしても、この隙間により請求項２の方法による切れ込みの形成を確実なものにできる。また、隙間は開封の目印ともなり容易に開封できる箱である。
【００２９】
箱の開封には、外フラップ間の粘着テープを切断後に、各外フラップと端面板間の粘着テープの切断が必要になる。封かんに用いる粘着テープが薄い場合は、力によって破断して開封することができるが、厚い場合は、最後に残った外フラップと端面板間の粘着テープの切断が難しい。
この部分の粘着テープをより簡単に切断することは、従来はあまり考えられていなかった。本願では、以下の請求項にかかる発明により厚い粘着テープで封かんしても容易に開封でき、意図しない力が箱に力が加わっても開封しにくい箱を提供できる。
請求項４の開封しやすい箱は、開封時に最後に残った外フラップを持ち上げ端面板と持ち上げた外フラップ間の粘着テープを切断するが、この時に、端面板近くの外フラップに接着している粘着テープに形成された切れ込みを利用して切断する。また、これらの切れ込みは外フラップを持ち上げない限りは切れ込みが亀裂を生じないため、輸送中などに加わる意図しない力や箱がひっくり返った時の外フラップを開く力では開封に関与しない。
【００３０】
請求項５の箱は、端面板近くの外フラップの一部が切り欠かれた箱で、粘着テープで箱を封かんした後に、端面板近くの合わせ目にできた隙間に対向する粘着テープに切れ込みを形成する。
開封時に隙間部分の粘着テープを押すか、外フラップを持ち上げると、隙間部分の粘着テープの切れ込みから新たな亀裂が生じる。
この亀裂により簡単に外フラップと端面板間の粘着テープを切断できる。隙間はあまり広くなく端面板に近いので、強い力が加わりにくく箱が開封する可能性は低い。
請求項６の開封しやすい箱は、端面板に近い外フラップにミシン目やスリットを形成した箱である。粘着テープで箱を封かん後に、ミシン目やスリットとその周辺に切れ込みを形成する。
開封時は、切れ込みやスリットを押すことで、粘着テープに形成された切れ込みから合わせ目に交差する亀裂が生じる。その後外フラップを持ち上げるとこの亀裂により簡単に各外フラップと端面板間の粘着テープを切断できる。
輸送中などは、外フラップに粘着している切れ込みは、強い力が働いても開封の契機にはならない。また、スリットに対向する粘着テープに付けられた切れ込みには、スリットの幅が狭いために開封の契機になりにくい。
このように本請求項は、輸送中に開封しにくく、容易に開封できる箱である。
【図面の簡単な説明】
【００３１】
【図１】実施例１における粘着テープで封かんした箱の斜視図である。
【図２】実施例１における図１のＡ−Ｂ部分の拡大平面図である。
【図３】実施例２における箱の開封を容易化する装置の斜視図である。
【図４】実施例３における粘着テープで封かんした箱の斜視図である。
【図５】実施例３における箱の展開図である。
【図６】実施例３におけるＡ−Ｂ部分の拡大平面図である。
【図７】実施例４におけるＣ−Ｂ部分の拡大平面図である。
【図８】実施例５における粘着テープで封かんした箱の斜視図である。
【図９】実施例５における箱の展開図である。
【図１０】実施例５におけるＣ−Ｂ部分の拡大平面図である。
【図１１】実施例５における開封の作用を説明する図である。
【図１１】実施例５の第１の変形例におけるＣ−Ｂ部分の拡大平面図である。
【図１３】実施例５の第２の変形例におけるＣ−Ｂ部分の拡大平面図である。
【図１４】実施例６における粘着テープで封かんした箱の斜視図である。
【図１５】実施例６におけるＣ−Ｂ部分の拡大平面図である。
【図１６】実施例７における粘着テープで封かんした箱の斜視図である。
【図１７】実施例７の第１の変形例におけるＣ−Ｂ部分の拡大平面図である。
【図１８】実施例７の第２の変形例におけるＣ−Ｂ部分の拡大平面図である。
【発明を実施するための形態】
【００３２】
本実施例の箱は、一対の側面板の上下の縁に繋げて設けた外フラップ（一対の端面板の上下縁に繋げて設けた内フラップの上側に位置するもの）をもち、一対の外フラップの縁部が互いに対向し合わせ目を形成することができる箱で、粘着テープを用いて互いに対向する外フラップの縁部とその近傍部分及び端面板を固定することにより封緘可能な箱である。
なお、以下の実施例において、特に断りがない限り「一対の外フラップの縁部が互いに対向することで形成される合わせ目」を「合わせ目」と記す。
封かんに用いられる粘着テープは、切れ込みがあると裂けやすいフィルムを基材とする粘着テープ（以降は、粘着テープという）で、例えば、箱の封かんなどに多く用いられている、ポリプロピレンを材質とした二軸延伸ポリプロピレンフィルム（ＯＰＰフィルム）のＯＰＰ粘着テープのようにフィルムを基材とする粘着テープである。
また、以下の各実施例における数値は特に断りがない限りは、例としての数値でありこれらの数値によって本願の発明が制限されるものではない。
【実施例１】
【００３３】
本発明の実施例１の容易に開封できる箱について図１と図２を用いて説明する。
本実施例１の箱は、図１に示すように、箱のほぼ中央の外フラップの合わせ目側の縁の近くに、切れ込みの形成場所を示す長さ１ｃｍの矢印１３が印刷されており、この箱の互いに対向する外フラップの縁部とその近傍部分及び端面板２を透明な粘着テープ８を用いて固定されている。
図２は、図１のＡ―Ｂ部分の平面拡大図で、合わせ目７の両側に切れ込みの位置を示す矢印１３の表示が箱に印刷されており、箱の封かん後に二つの矢印１３に挟まれた合わせ目７に対向する粘着テープ８に開封の契機となる切れ込みが形成された図である。図２の切れ込みの大きさは約０．５ｍｍである。
【００３４】
本実施例１による作用及び効果について図２を用い説明する。
本実施例１の容易に開封できる箱の開封方法は、切れ込み１２を形成した場所を示す２本の矢印１３に挟まれた合わせ目７の部分の粘着テープ８を上から爪先で押すと、爪先による局部的な力により、近くの切れ込みがゆがみ亀裂に発展する。さらに爪を押したまま合わせ目７に沿って動かすと亀裂も伸長し、合わせ目部分の粘着テープが切断される。その後、外フラップ４を上から抑えると合わせ目７に指が入る隙間ができる。この隙間から指を入れもう一方の外フラップ３を持ち上げると、合わせ目７部分の粘着テープを切断した亀裂がさらに伸長し、持ち上げた外フラップ３と端面板２の間の粘着テープ８を切断する。次いで最後に残った外フラップ４を持ち上げ、外フラップ４と端面板２の間の粘着テープ８を破断し開封する。
【００３５】
本実施例１では、粘着テープ８に形成された開封の契機となる切れ込み１２が、表示された近くの合わせ目７にしかないことを特徴とする。従来技術のように合わせ目全体にミシン目がないので、輸送中などに意図しない力が加わっても開封しにくい。
また、切れ込みの範囲を示す表示があることにより、開封時に爪などで局部的な力を加える部分が明確になり強い力を加えやすくなるので、針先でついた程度の目に見えにくい小さな切れ込みであっても亀裂を生じさせ開封の契機とすることができる。
以上のように本実施例１の箱は、意図しない力が箱に加わっても開封しにくく、かつ容易に開封できる箱である。
【実施例２】
【００３６】
本発明の実施例２の封かんされた箱の開封を容易化する装置について、図１、図２、図３を用いて説明する。
図３の装置は、図１のように粘着テープ８を用い封かんされた箱の合わせ目７の任意の部分に対向する粘着テープ８に開封の契機となる切れ込み１２を形成する装置である。
図３の装置は、粘着テープ８に切れ込み１２を形成するための多数の針を表面に持つローラー１４と、封かんされた箱を箱の合わせ目７に直交する方向に移動させるベルトコンベヤー１８と、ローラー１４を保持し箱の合わせ目方向（Ｅ−Ｅ´方向）に動かすことができる支持体１６により構成される。
またローラー１４は、両端に回転軸１７を持つアーム１５を介して支持体１６に保持されているので、ローラー１４は自由に回転でき、ローラーの回転方向は上から見て合わせ目に直交方向である。また、アーム１６は合わせ目７と略直交方向（Ｄ−Ｄ´方向）に自由に動くことができる。
なお図３ではベルトコンベヤーのベルト１８の一部のみが記載されている。
【００３７】
本実施例２による作用及び効果について図２と図３を用い説明する。
箱は、ベルトコンベヤー１８の中央に、合わせ目７に略直交方向（ＤからＤ´方向）に移動するように載せられる。ローラー１４は、予め印刷された矢印１３の上を通るように、支持体をＥ−Ｅ´方向に動かすることにより所定の位置に配置されている。箱の移動によりローラー１４が箱の上面の外フラップ４に乗り上げると、合わせ目７の略直交方向に転動（回動）しながら、ローラー表面の針が箱や粘着テープ８に切れ込み１２を形成する。
図２は、図３の装置により切れ込み１２が形成された箱の拡大図（Ａ−Ｂ）である。図２に示すように、図３の装置を用いると、粘着テープ中の、予め箱に印刷された矢印１３を通る部分であって合わせ目７に対して略直交方向に延びる部分のみに、切れ込み１２を簡単に形成できる。
【実施例３】
【００３８】
本発明の実施例３の容易に開封できる箱について図４、図５、図６を用いて説明する。
本実施例３の箱は、図４に示すように、箱中央の外フラップ３ａと外フラップ４ａの縁部が互いに対向している合わせ目７ａに略長方形の隙間９ａが形成されていることを特徴とする。この隙間９ａは、図５の展開図に示すように、開封面の外フラップ３ａの合わせ目側の縁に切欠き６ａが形成されていることによる。図４のＡ−Ｂ部分にあたる略長方形の隙間９ａの拡大図を図６に示した。
図６の隙間９ａの幅（合わせ目７ａと直交方向の長さ）は３ｍｍ、長さは（合わせ目７ａ方向の長さ）１０ｍｍである。また、図６には粘着テープに形成された切れ込み１２ａを記している。
【００３９】
次に本実施例３による作用及び効果について図６を用い説明する。
本実施例３である図５の展開図に示した箱を、封かんの強度を高めるために外フラップ３ａと外フラップ４ａの対向する縁を互いに隙間なく密着させ組み立てると、図４のように合わせ目７ａの中央部分に外フラップ３ａの切欠き６ａによる幅３ｍｍ長さ１０ｍｍの隙間９ａが生じる。次いで、一方の端面板２ａから他方の端面板２ａまで、外フラップ３ａと対面する外フラップ４ａを粘着テープ８ａで張り合わせることで封かんする。
前記隙間９ａ部分に対向する粘着テープ８ａは、隙間９ａの幅が３ｍｍと狭いため、どこにも接着していない。また、針で押されてもたるむことがほとんどないため、実施例２の装置を用い図６に示すように隙間９ａ部分に対向する粘着テープ８ａに切断の契機となる切れ込み１２ａを形成させることができる。
【００４０】
開封時は隙間９ａが切れ込み１２ａの場所を示すので、隙間９ａ部分を目印にして粘着テープ８ａを爪で押すことにより亀裂が生じる。以後は実施例２と同じで爪を押しながら合わせ目７ａに沿って動かし合わせ目７ａ部分の粘着テープ８ａを切断する。その後で合わせ目７ａから指を差し込み、外フラップ３ａを持ち上げることで、亀裂の伸長を端面板２ａと外フラップ３ａの間に誘導し粘着テープ８ａを切断できる。また、残った外フラップ４ａを持ち上げると端面板２ａと外フラップ４ａの間の粘着テープ８ａを破断できる。
隙間９ａ部分の面積は、封かんしている粘着テープの面積と比較して小さいので、箱の封かん力は、通常の場合と比べほぼ同じであり、意図しない力が切れ込み１２ａに作用して開封してしまう可能性は低い。また、隙間９ａの幅（合わせ目７ａに直交方向の長さ）も狭いので、粘着テープがたるみにくく、爪などによる局部的な力を切れ込みに加えやすいため、小さな切れ込みでも切断の契機となる。
上記のように、合わせ目側の縁に小さな切欠き６ａを設けることで、箱の封かん力を強めたままで切断の契機となる切れ込み１２ａを粘着テープに確実に形成できるため、意図しない力では開封しにくく、容易に開封できる箱である。
【実施例４】
【００４１】
箱の開封には合わせ目間の粘着テープの切断と、外フラップと端面板間の粘着テープの切断が必要である。特に後者の切断は、粘着テープが薄い場合は力で破断できるが、厚い場合は破断が困難になる。
本実施例４の容易に開封できる箱は、外フラップと端面板間の粘着テープを簡単に切断する機能をもつ箱である。
本発明の実施例４の箱について、主に図７を用いて説明する。
実施例４の箱は、内フラップと外フラップを重ね合わせて封かんする箱であって、図７に示すように、端面板２ｂに近い外フラップに接着している粘着テープ８ｂに対して切れ込み１２ｂが形成されている。（この部分は、図４のＣ−Ｂ部分にあたる。）切れ込み１２ｂは、端面板２ｂから箱中央方向を見てハの字形で、外フラップの端面板側の縁から５ｍｍ離れた粘着テープ８ｂに形成されている。切れ込み１２ｂの長さは３ｍｍである。
また、図４に示した実施例３と同様な隙間を持ち、隙間に対向する粘着テープに開封の契機となる切れ込みが形成されている。（図を省略）
【００４２】
本実施例４による作用及び効果について図７を用い説明する。
本実施例４の箱の開封は、実施例３と同様に合わせ目７ｂ部分にある切断の契機となる切れ込みを利用して合わせ目７ｂに対向する粘着テープ８ｂを切断し、合わせ目７ｂから指を入れ、外フラップ３ｂを持ち上げる。これにより合わせ目７ｂの亀裂はさらに伸長し、外フラップ３ｂと端面板２ｂの間の粘着テープ８ｂを切断する。次に、残った外フラップ４ｂを持ち上げると、持ち上げた外フラップ４ｂと端面板２ｂの間の粘着テープ８ｂには切れ込みや亀裂がないため切断できずに持ち上げた外フラップ４ｂが湾曲する。さらに外フラップ４ｂを持ち上げると、粘着テープ８ｂが伸びて外フラップ４ｂの端面板側から次第に粘着テープ８ｂが剥がれはじめ、粘着テープ８ｂに形成された切れ込み１２ｂに力が加わり新たな亀裂が生じる。この亀裂が伸長し最後に残った外フラップ４ｂと端面板２ｂの間の粘着テープ８ｂを切断する。
【００４３】
実施例４は粘着テープが厚い場合でも、粘着テープの各外フラップに接着している部分であって、端面板に近い部分に形成された切れ込み１２ｂによって開封できる。また、意図しない力が加わっても、開封時以外は実施例４の切れ込み１２ｂ周辺は外フラップに接着しているので、切れ込み１２ｂから亀裂に発展しない。よって実施例４の箱は意図しない力が加わっても開封しにくい箱である。
切れ込み１２ｂの形は、曲線や不定形であっても良い。
なお、本実施例では、外フラップの端面板側の縁近くには、切れ込み１２ｂを形成していない。これは重量物を詰めた箱がひっくり返った時に、外フラップが開くような力が加わるので、外フラップの端面板側の縁近くに切れ込み１２ｂがあると、外フラップと端面板２ｂの間の粘着テープが切断するためである。軽量物を詰めた箱では不要なので必須条件ではない。
【実施例５】
【００４４】
本発明の実施例５について図８、図９、図１０を用いて説明する。
本実施例５の箱は、内フラップと外フラップを重ね合わせて封かんする箱であって、図８に示すように、開封側の外フラップ３ｃと外フラップ４ｃの合わせ目７ｃ（各外フラップの縁部が互いに対向している部分）の端面板２ｃに隣接する部分に、平面視で略三角形の隙間９ｃを持つ。
この隙間９ｃは、図９の展開図に示すように、開封面の各合わせ目側の縁の両端を切り欠いて形成する。
【００４５】
図８のＣ−Ｂ部分にあたる拡大図を図１０に示した。
図１０の隙間９ｃを形成する切り欠き６ｃは、各外フラップの合わせ目側の角（外フラップの合わせ目側の縁と外フラップの端面板側の縁の交点）から、外フラップの端面板側の縁に沿った方向に５ｍｍ離れた所と合わせ目側の縁に沿った方向に２０ｍｍ離れた所を結んだ線まで切り欠いたものである。よって形成される隙間９ｃの幅（合わせ目７に直交方向の長さ）の最大値は１０ｍｍである。
箱を封かんする粘着テープ８ｃは、短手方向の幅が５０ｍｍ程度のものや３５ｍｍ程度のものが用いられる。本実施例５の隙間９ｃの最大の幅は１０ｍｍなので、粘着テープ８ｃの短手方向の半分以下の幅である。
【００４６】
次に本実施例５の開封時の作用と効果について図１１を用いて説明する。
図１１は、図９の展開図に示した箱を組み立て、粘着テープ８ｃで封かん後に、外フラップの端面板側の縁から５ｍｍ以上離れた隙間９ｃの部分に対向する粘着テープ８ｃに切断の契機となる切れ込み１２ｃを形成した斜視図である。
略三角形の隙間９ｃは、隙間の幅（合わせ目７ｃに直交方向の長さ）が最も広い、外フラップの端面板側の縁部分でも１０ｍｍと小さいので、隙間９ｃに対向する粘着テープ８ｃは内フラップ５に接着していない。隙間９ｃ部分の面積も封かんしている粘着テープ８ｃの面積と比べ十分小さいので、箱の封かん力はほとんど弱まらない。
隙間９ｃの幅（合わせ目７ｃに直交方向の長さ）は、端面板２ｃから遠ざかると狭くなるので、粘着テープ８ｃは弛まず、内フラップに接着していない。このため、開封時は隙間９ｃの狭くなった部分に対向する粘着テープ８ｃに爪などで局部的な力を加えると、この部分にある切れ込み１２ｃは爪による局部的な力を受けて亀裂を生じる。
【００４７】
次に爪を押したまま合わせ目７ｃに沿ってＨの方向に移動させると、亀裂も伸長するため粘着テープ８ｃが合わせ目７ｃに沿って切断される。次いで外フラップの４ｃを上から抑えるともう一方の外フラップ３ｃとの合わせ目７ｃが開き隙間ができるので、指を入れ、外フラップ３ｃを持ち上げる。外フラップ３ｃを持ち上げることで合わせ目方向の亀裂の伸長は、Ｇ方向に伸長し持ち上げた外フラップ３ｃと端面板２ｃを固定する粘着テープ８ｃが切断される。
残った外フラップ４ｃを持ち上げると、隙間９ｃ部分に残っている粘着テープに形成された切れ込み１２ｃに力が加わり新たな亀裂が生じ、Ｆ方向へ伸長が始まり、持ち上げた外フラップ４ｃと端面板２ｃを固定する粘着テープ８ｃが切断され、開封される。
このように、実施例５の隙間９ｃは、粘着テープに切れ込み１２ｃを形成しやすくする役割に加え、隙間９ｃの幅が狭い部分は、爪先で押さえると切れ込み１２ｃに力がかかりやすく、合わせ目方向Ｈの亀裂を発生させる役割を持つ。また、隙間９ｃの幅が広い部分（端面板２ｃに近い部分）は、外フラップを持ち上げると端面板方向へ伸長する亀裂を発生させる役割を持つ。
【００４８】
実施例３では、外フラップに接着している粘着テープの切れ込み１２ａを利用した切断であったが、実施例５では上述の作用により実施例３に比べ，さらに少ない力で開封することができる。
実施例５では、切れ込み１２ｃを形成する隙間９ｃが、端面板２ｃに隣接しているため、輸送中などに意図せぬ力が上から加わっても端面板２ｃや内フラップなどに力が分散され、切れ込み１２ｃに強い力が加わりにくく切断が起きにくい。
このように、本実施例５の箱は、容易に開封でき意図しない力が加わっても開封しにくい箱である。
また、隙間９ｃの長さ（端面板２ｃから略三角形の頂点までの長さ）は２０ｍｍなので、外フラップの端面板側の縁から５ｍｍ以上離れた隙間部分の粘着テープ８ｃに、切れ込み１２ｃを形成できる。このため、箱がひっくり返った時などに端面板２ｃと外フラップ間の粘着テープが切断しにくいなどの効果を与えることもできる。
なお、最初に持ち上げる外フラップが決まっているなら、もう一方の外フラップのみを切り欠いても良い。
【００４９】
本発明の実施例５の第１の変形例について図８と図１２を用いて説明する。
本発明の実施例５の第１の変形例は、図８に示す実施例５の箱のＣ−Ｂ部分を図１２に示す平面視で四角形の隙間９ｄに置き換えたものである。
図１２の隙間９ｄは、合わせ目側の角（合わせ目側の縁と外フラップの端面板２ｄ側の縁の交点）から外フラップの端面板側の縁に沿って１０ｍｍ離れた所と、前記角から合わせ目７ｄの縁に沿って２０ｍｍ離れた所を２辺とする四角形になるように切り欠いて形成したものである。
第１の変形例の箱は、封かん後に前記切欠きにより合わせ目と直交方向の長さが２０ｍｍで合わせ目方向の長さが２０ｍｍの四角形の隙間９ｄを持つ。
【００５０】
次に本実施例５の第１の変形例の作用と効果について図１２を用いて説明する。
本実施例５の第１の変形例の箱を組み立て、粘着テープ８ｄで封かんし、外フラップの端面板側の縁から１０ｍｍ以上離れた隙間９ｄに対向する粘着テープ８ｄの部分に切断の契機となる切れ込み１２ｄを形成する。
開封時には、図１２の隙間９ｄ部分の粘着テープを親指で上から押すと、隙間部分の粘着テープの切れ込みが合わせ目と交差するＦ−Ｇ方向の亀裂になる。次に図１２のＪ部分にある合わせ目７ｄに対向する粘着テープに対し爪などで局部的な力を加えると、粘着テープの切れ込み１２ｄが亀裂に発展する。次いで、爪を押したまま合わせ目７ｄに沿ってＨの方向に移動させると、亀裂も伸長するため粘着テープ８ｄが合わせ目７ｄに沿って切断される。外フラップの４ｄを上から抑えるともう一方の外フラップ３ｄとの間に隙間ができるので、指を入れ、外フラップ３ｄを持ち上げると合わせ目方向の亀裂が、Ｆ−Ｇ方向の亀裂と繋がりＧ方向に伸長し、外フラップ３ｄと端面板２ｄの間の粘着テープ８ｄを切断する。残った外フラップ４ｄを持ち上げるとＦ方向の亀裂が外フラップ４ｄと端面板２ｄ間の粘着テープに伸長し切断するので、容易に開封できる。
【００５１】
実施例５の第１の変形例では、四角形の隙間９ｄの幅が実施例５に比べ広いため、意図せぬ外力によってＦ−Ｇの亀裂が生じやすいが、亀裂が生じると隙間９ｄ部分の粘着テープ８ｄの一部が内フラップ５ｄに接着するので、上からの力だけでは、外フラップと端面板２ｄの間の粘着テープに向かう亀裂の伸長は起きにくい。
亀裂が外フラップと端面板２ｄの間の粘着テープ８ｄに伸長するためには外フラップを大きく持ち上げねばならないので、開封時以外に外フラップと端面板２ｄの間の粘着テープを切断する可能性は低い。そのほかの効果は実施例５と同じである。
このように実施例５の第１の変形例は、実施例５と比較して切れ込み１２ｄの形成のしやすさや意図しない力に対する開封のしにくさはほぼ同じでありながら、合わせ目と交差するＦ−Ｇ方向の亀裂を生じることができるので、より容易に開封でき、意図しない力が加わっても開封しにくい箱である。
なお、Ｊ部分の切れ込みに代えて、実施例３の隙間と切れ込みを形成しても良い。
【００５２】
本発明の実施例５の第２の変形例について図８と図１３を用いて説明する。
本発明の実施例５の第２の変形例は、図８に示す実施例５の箱のＣ−Ｂ部分を図１３に示す平面視で楕円形の隙間９ｅに置き換えたものである。
図１３の隙間９ｅは、外フラップの端面板の縁から５ｍｍ以上３０ｍｍ以内の部分に楕円形の隙間９ｅを形成するように合わせ目側の縁を切り欠いたものである。楕円形の隙間９ｅの直径は、１０ｍｍと２０ｍｍで合わせ目７ｅと直交する方向に長い直径が位置する。
本実施例の作用と効果について図１３を用いて説明する。
本実施例５の第２の変形例の箱を組み立て、粘着テープ８ｅを用いて封かんし、外フラップの端面板側の縁から１０ｍｍ以上離れた隙間９ｅ部分に対向する粘着テープ８ｅに切断の契機となる切れ込み１２ｅを形成する。
【００５３】
開封時には、図１３の隙間９ｅに対向する粘着テープ８ｅを親指の爪で上から押すと、親指の形に沿って合わせ目方向と交差するＦ−Ｇ方向の亀裂が発生する。次に図１３のＪ部分にある合わせ目７ｅに対向する粘着テープに爪などで局部的な力を加えると、切れ込み１２ｅが亀裂に発展するので、実施例５と同様に合わせ目７ｅに対向する粘着テープ８ｅを切断する。次に外フラップ３ｅを持ち上げると合わせ目方向の亀裂が、Ｆ−Ｇ方向の亀裂と繋がりＧ方向に伸長し、外フラップに接着している粘着テープ８ｅを一部剥がしながら、外フラップ３ｅと端面板２ｅの間の粘着テープを切断する。残った外フラップ４ｅを持ち上げるとＦ方向の亀裂が、外フラップ４ｅに接着している粘着テープ８ｅを一部はがしながら伸長し、外フラップ４ｅと端面板２ｅ間の粘着テープ８ｅを切断するので、容易に開封できる。
【００５４】
実施例５の第２の変形例は、隙間９ｅが端面板側に開いていないので、例え力が加わり隙間９ｅ部分の粘着テープに亀裂が生じても、外フラップと端面板２ｅの間の粘着テープ８ｅに亀裂が伸長しない。よって、意図しない力が加わっても、実施例５の第１の変形例よりも開封しにくいといえる。
また、粘着テープが特に厚いと、小さな切れ込みでは隙間部分の粘着テープを指で押してもＦ−Ｇ方向の亀裂を形成できない場合がある。この場合は、小さな切れ込み１２ｅに代えて、合わせ目７ｅに略直交する１０ｍｍ以上の長さの切れ込みを形成しておくと、指で押しただけで、Ｆ−Ｇ方向の亀裂を作ることができる。
第２の変形例は、端面板２ｅに近い部分の外フラップに接着している粘着テープ８ｅの一部を剥がして、外フラップと端面板２ｅの間の粘着テープ８ｅを切断するが、剥がす面積が小さいため、箱の再利用時の封かん力の低下にはならない。そのほかの効果は実施例５と同じである。
なお、最初に持ち上げる外フラップが決まっているなら、もう一方の外フラップのみを切り欠いて隙間９ｅを作っても良い。
また、第１の変形例は、実施例１や実施例２と組み合わせて利用しても良い。
【実施例６】
【００５５】
本発明の実施例６について、図１４、図１５を用いて説明する。
実施例６の容易に開封できる箱は、端面板２ｆに隣接する合わせ目７ｆの部分に、平面視で略四角形を形作るミシン目１９ｆを持つ。図１４のＣ−Ｂ部分の平面拡大図を図１５に示した。
図１５に示すように、実施例６は、実施例５の第１の変形例の切欠き部分６ｄをミシン目１９ｆで置き換えた箱で、ミシン目１９ｆは力を加えると破断でき、すべてのミシン目１９ｆを破断すると、実施例５の第１の変形例の切欠き６ｄとなる。
図１５は、実施例６の箱を粘着テープ８ｆで封かん後に、外フラップの端面側の縁から１０ｍｍ以上離して、粘着テープ８ｆ上に切れ込み１２ｆを形成したものである。
【００５６】
開封は、図１５のミシン目１９ｆで囲まれた部分Ｋを上から親指で押すと箱の外フラップのミシン目１９ｆが破断され、箱に隙間が生じるとともに、生じた隙間部分の粘着テープ８ｆが外フラップからはがれ、この部分に形成された切れ込み１２ｆから合わせ目と交差するＦ−Ｇ方向の亀裂を生じる。次に、ミシン目１９ｆ近くの合わせ目７ｆに対向する粘着テープ８ｆを爪で押し、切れ込み１２ｆから亀裂を生じさせて、合わせ目７ｆの間の粘着テープ８ｆを切断後に、外フラップを持ち上げると合わせ目７ｆの亀裂とＦ−Ｇ間の亀裂が繋がり、亀裂は外フラップと端面板２ｆの間に伸長し、粘着テープ８ｆは切断する。反対側の外フラップを持ち上げると同様に亀裂が外フラップと端面板２ｆの間に伸長し、粘着テープ８ｆは切断し開封できる。
【００５７】
実施例６の効果は実施例５の第１の変形例の効果に加え、最初はミシン目１９ｆのみで隙間９ｆを持たないため、意図しない力が加わっても実施例５の第１の変形例に比べ開封の可能性が低い。
なお、本実施例６は、指で押して生じた外フラップの隙間にＦ―Ｇ方向の亀裂が生じることが重要であり、ミシン目１９ｆがすべて破断して実施例５変形例１の隙間９ｄと同じ隙間９ｆができなくてよい。この場合はＦ、Ｇ方向の亀裂は、外フラップに接着している粘着テープ８ｆを一部剥がしながら伸長し、外フラップと端面板２ｆの間の粘着テープ８ｆを切断する。
外フラップのミシン目部分は、端面板２ｆに近いと内フラップ５ｆがあるため押し下げにくいので、この部分の内フラップ５ｆの一部を切り抜いても良い。
なお、最初に持ち上げる外フラップが決まっているなら、もう一方の外フラップのみを切り欠いても良い。
また、実施例６は、実施例１や実施例３と組み合わせて利用しても良い。
【実施例７】
【００５８】
実施例７の容易に開封できる箱について図１６と図１７を用い説明する。
実施例７の箱は、図１６に示すように、端面板２ｇ近くの外フラップにスリット２０ｇを形成したものである。図１６のスリット２０ｇが形成された部分Ｃ−Ｂの平面拡大図を図１７に示した。
図１７に示したスリット２０ｇは、外フラップの端面板側の縁から１０ｍｍから２０ｍｍの範囲に、端面板２ｇ側から見て山形に形成される。スリットの幅は２ｍｍで長さは１４ｍｍである。スリットは合わせ目に対しプラスマイナス４５度の角度で斜交し、端面板から遠いスリットの一端が合わせ目に開口している。
図１７は、スリット２０ｇを形成した箱を封かん後に、スリット２０ｇとその周辺の粘着テープ８ｇに切れ込み１２ｇを形成したものである。
【００５９】
実施例７の作用と効果について図１７を用い説明する。
開封者は外フラップ３ｇのスリット２０ｇに対向する粘着テープ８ｇを爪で押し、粘着テープ８ｇに形成された切れ込み１２ｇから亀裂を生じさせる。
爪を押したままスリット２０ｇから合わせ目７ｇに沿って動かすことで亀裂も合わせ目７ｇにそって伸長し、合わせ目間の粘着テープ８ｇを切断する。
次いで、図１３のスリット２０ｇで囲まれた部分Ｋを指で押し、箱の中に押し込むと、押し込まれた部分の粘着テープ８ｇが剥がれ、剥がれた部分の切れ込みに力が加わり粘着テープ８ｇに合わせ目と交差するＦ―Ｇ方向の亀裂が生じる。
【００６０】
切断された合わせ目７ｇから指を入れて、外フラップ３ｇを持ち上げると、合わせ目７ｇの亀裂がＦ―Ｇ方向の亀裂と繋がり、Ｇ方向に伸長し、外フラップに接着している粘着テープの一部をはがしながら外フラップ３ｇと端面板２ｇの間の粘着テープ８ｇを切断する。
残った外フラップ４ｇを持ち上げるとＦ方向の亀裂が伸長し同様に外フラップ４ｇと端面板２ｇの間の粘着テープ８ｇを切断し開封できる。
実施例７の効果は、実施例６のミシン目１９ｆに比べスリット２０ｇなので開封の契機となる切れ込み１２ｇを形成しやすい。また、スリット２０ｇに挟まれたＫの部分を押し、Ｆ−Ｇ方向の亀裂を作りやすいので、容易に開封できる。
開封時は、スリット２０ｇに形成された切れ込み１２ｇを用いて合わせ目間の粘着テープ８ｇを切断できるので、合わせ目に隙間を作り、切れ込みを形成する場合に比べ、意図しない力が加わっても開封しにくい。
なお、スリット２０ｇの形は、直線に代えて円弧でも良い。また、合わせ目７ｇに直交するスリット２０ｇでも良い。
【００６１】
実施例７の第１の変形例は、図１６のＣ−Ｂの部分のスリット２０ｈが外フラップの合わせ目側の縁に開口していないものである。実施例７の第１の変形例のＣ−Ｂの部分の平面拡大図を図１８に示した。
図１８に示したスリット２０ｈは、外フラップの端面板側の縁から１０ｍｍから２０ｍｍの範囲に端面板２ｈ側から見て山形に形成され、合わせ目側の縁から２ｍｍ離れた場所から合わせ目７ｈに対しプラスマイナス４５度の角度を持つ、幅２ｍｍで長さ１１ｍｍのスリットである。実施例７と異なり前記スリット２０ｈは、合わせ目側の縁に開口していない。図１８は、前記スリット２０ｈを形成した箱を封かん後に、スリット２０ｈ部分とその周辺に対向する粘着テープ８ｈに切れ込み１２ｈを形成する。
【００６２】
作用について図１８を用いて述べる。箱の開封はスリット２０ｈで囲まれたＫ部分を指で押し、スリット２０ｈの先端と合わせ目７ｈの間の外フラップを破断して、合わせ目と交差するＦ−Ｇ方向の亀裂を生じさせる。その際に合わせ目７ｈに生じた亀裂か、近くのＪ部分の合わせ目を爪で押し亀裂を発生させ、この亀裂を利用して外フラップ間の粘着テープ８ｈを切断する。合わせ目７ｈから指を入れ、外フラップ３ｈを持ち上げると、合わせ目７ｈの亀裂がＦ−Ｇ方向の亀裂と繋がり、亀裂はＧ方向から端面板２ｈに伸長し、外フラップ３ｈと端面板２ｈの間の粘着テープ８ｈを切断できる。残った外フラップ４ｈを持ち上げると同様に伸長し開封できる。
実施例７の第１の変形例の効果は、スリット２０ｈが合わせ目７ｈから独立した部分にあるため、意図しない力が加わって亀裂が生じても合わせ目７ｈに亀裂が伸長しないので、実施例７に比べ開封しにくい。そのほかの効果は実施例７と同じである。
第１の変形例のスリット２０ｈと合わせ目７ｈの間は、押すと破断するミシン目にしても良い。
【符号の説明】
【００６３】
１  側面板
２  端面板
３  外フラップ
４  外フラップ
５  内フラップ
６  切り欠き
７  一対の外フラップが形成する合わせ目
８  粘着テープ
９  隙間
１０  外フラップの角
１１  箱ののりしろ
１２  粘着テープに形成された切れ込み
１３  切れ込みが形成された範囲を示す表示
１４  表面に針を持つローラー
１５  アーム
１６  支持台
１７  回転軸
１８  ベルトコンベヤーのベルト
１９  箱に形成されたミシン目
２０  箱に形成されたスリット
Ａ−Ｂ  Ｃ−Ｂ  拡大の範囲
Ｆ，Ｇ、Ｈ    切れ込みの伸長方向
Ｊ  Ｋ  押す場所
【図１】
2015157649.tif 000003
【図２】
2015157649.tif 000004
【図３】
2015157649.tif 000005
【図４】
2015157649.tif 000006
【図５】
2015157649.tif 000007
【図６】
2015157649.tif 000008
【図７】
2015157649.tif 000009
【図８】
2015157649.tif 000010
【図９】
2015157649.tif 000011
【図１０】
2015157649.tif 000012
【図１１】
2015157649.tif 000013
【図１２】
2015157649.tif 000014
【図１３】
2015157649.tif 000015
【図１４】
2015157649.tif 000016
【図１５】
2015157649.tif 000017
【図１６】
2015157649.tif 000018
【図１７】
2015157649.tif 000019
【図１８】
2015157649.tif 000020
【手続補正書】
【提出日】平成26年7月31日(2014.7.31)
【手続補正１】
【補正対象書類名】明細書
【補正対象項目名】００３１
【補正方法】変更
【補正の内容】
【００３１】
【図１】実施例１における粘着テープで封かんした箱の斜視図である。
【図２】実施例１における図１のＡ−Ｂ部分の拡大平面図である。
【図３】実施例２における箱の開封を容易化する装置の斜視図である。
【図４】実施例３における粘着テープで封かんした箱の斜視図である。
【図５】実施例３における箱の展開図である。
【図６】実施例３におけるＡ−Ｂ部分の拡大平面図である。
【図７】実施例４におけるＣ−Ｂ部分の拡大平面図である。
【図８】実施例５における粘着テープで封かんした箱の斜視図である。
【図９】実施例５における箱の展開図である。
【図１０】実施例５におけるＣ−Ｂ部分の拡大平面図である。
【図１１】実施例５における開封の作用を説明する図である。
【図１２】実施例５の第１の変形例におけるＣ−Ｂ部分の拡大平面図である。
【図１３】実施例５の第２の変形例におけるＣ−Ｂ部分の拡大平面図である。
【図１４】実施例６における粘着テープで封かんした箱の斜視図である。
【図１５】実施例６におけるＣ−Ｂ部分の拡大平面図である。
【図１６】実施例７における粘着テープで封かんした箱の斜視図である。
【図１７】実施例７の第１の変形例におけるＣ−Ｂ部分の拡大平面図である。
【図１８】実施例７の第２の変形例におけるＣ−Ｂ部分の拡大平面図である。